(57)【要約】【課題】  故障の起きにくい自転車用方向指示装置を提供する。【解決手段】  電池の内蔵される密閉可能な筒型の方向指示装置本体１の本体ケース２の左右に左折表示用色付半透明パネル７と右折表示用色付半透明パネル８を配置し、本体ケース２の内部で左折表示用色付半透明パネル７及び右折表示用色付半透明パネル８の裏側に左折表示用の発光ダイオード９と右折表示用の発光ダイオード１０を配置する。自転車のハンドルに方向指示操作を行なう方向指示操作器を取り付け、該方向指示操作器での方向指示操作に従い、方向指示装置本体１の左折表示用の発光ダイオード９または右折表示用の発光ダイオード１０を選択的に点滅発光させる。本体ケース２から突設された取り付け部材１１の筒体１３をサドル５０の下のシートポスト５１に被嵌し固定したとき、本体１がサドル５０の下面に位置する。【選択図】        図１
0003125094.tif 000002
【実用新案登録請求の範囲】
【請求項１】
電池を内蔵した密閉可能な色付半透明部材または透明部材からなる本体ケースと、
本体ケースの内部に配置された左折表示用発光手段及び右折表示用発光手段と、
本体ケースを自転車のサドル下のシートポストに着脱自在に取り付ける取り付け部材と、
から成る方向指示装置本体と、
自転車のハンドルに取り付け可能で方向指示操作を行なう方向指示操作器と、
を含み、
方向指示操作器での方向指示操作に従い、方向指示装置本体の一対の左折表示用発光手段または右折表示用発光手段が点滅するようにし、
本体ケースをサドル下のシートポストに取り付けたとき、本体ケースがサドルの下面に位置するようにしたこと、
を特徴とする自転車用方向指示装置。
【請求項２】
取り付け部材は、本体ケースと一体化されてシートポストに着脱自在に被嵌する筒体を有すること、
を特徴とする請求項１記載の自転車用方向指示装置。
【請求項３】
本体ケースは筒型であり、
取り付け部材は、各々、本体ケースの外周の一部に沿って巻き掛けられるとともに本体ケースの半径方向外側へ延設されて端部がシートパイプの外周の一部に沿って当接可能な左右一対の枠体と、
左右一対の枠体を上下方向から一緒に締めて本体ケースに固定する第１の固定部材と、
左右一対の枠体を左右方向から一緒に締めてシートパイプに固定する第２の固定部材と、
を備えたこと、
を特徴とする請求項１記載の自転車用方向指示装置。
【請求項４】
電池を内蔵した密閉可能な本体ケースと、
本体ケースの外側の左右に配置された左折表示用の色付半透明パネルまたは透明パネル及び右折表示用の色付半透明パネルまたは透明パネルと、
本体ケースの内部で左折表示用の色付半透明パネルまたは透明パネル及び右折表示用の色付半透明パネルまたは透明パネルの裏側に配置された左折表示用発光手段及び右折表示用発光手段と、
本体ケースを自転車のサドル下のシートポストに着脱自在に取り付ける取り付け部材と、
から成る方向指示装置本体と、
自転車のハンドルに取り付け可能で方向指示操作を行なう方向指示操作器と、
を含み、
方向指示操作器での方向指示操作に従い、方向指示装置本体の一対の左折表示用発光手段または右折表示用発光手段が点滅するようにし、
本体ケースをサドル下のシートポストに取り付けたとき、本体ケースがサドルの下面に位置するようにしたこと、
を特徴とする自転車用方向指示装置。
【請求項５】
取り付け部材は、本体ケースと一体化されてシートポストに着脱自在に被嵌する筒体を有すること、
を特徴とする請求項４記載の自転車用方向指示装置。
【請求項６】
本体ケースは筒型であり、
取り付け部材は、各々、本体ケースの外周の一部に沿って巻き掛けられるとともに本体ケースの半径方向外側へ延設されて端部がシートパイプの外周の一部に沿って当接可能な左右一対の枠体と、
左右一対の枠体を上下方向から一緒に締めて本体ケースに固定する第１の固定部材と、
左右一対の枠体を左右方向から一緒に締めてシートパイプに固定する第２の固定部材と、
を備えたこと、
を特徴とする請求項４記載の自転車用方向指示装置。
【考案の詳細な説明】
【技術分野】
【０００１】
本考案は自転車用方向指示装置に係り、とくに雨天での防水性を確保できる自転車用方向指示装置に関する。
【背景技術】
【０００２】
自転車で後方の車両等に右左折の合図を送る自転車用方向指示装置が開発されている。従来は、後輪の泥除けの下端部に方向指示灯本体を装着したり（特許文献１）、後輪支持フレームに発光ダイオードを取けたりしていた（特許文献２）。
【０００３】
従来の自転車用方向指示装置は、雨天時に方向指示灯本体や発光ダイオードが雨に濡れたり、転倒時に地面に当たったりして故障し易いという欠点を有していた。
【０００４】
【特許文献１】実開平５−１８９８３号公報
【特許文献２】実用新案登録第３０７８１３６号公報
【考案の開示】
【考案が解決しようとする課題】
【０００５】
本考案は上記した従来の問題に鑑み、故障の起きにくい自転車用方向指示装置を提供することを、その目的とする。
【課題を解決するための手段】
【０００６】
請求項１の考案は、電池を内蔵した密閉可能な色付半透明部材または透明部材からなる本体ケースと、本体ケースの内部に配置された左折表示用発光手段及び右折表示用発光手段と、本体ケースを自転車のサドル下のシートポストに着脱自在に取り付ける取り付け部材と、から成る方向指示装置本体と、自転車のハンドルに取り付け可能で方向指示操作を行なう方向指示操作器と、を含み、方向指示操作器での方向指示操作に従い、方向指示装置本体の一対の左折表示用発光手段または右折表示用発光手段が点滅するようにし、本体ケースをサドル下のシートポストに取り付けたとき、本体ケースがサドルの下面に位置するようにしたこと、を特徴としている。
請求項４記載の考案は、電池を内蔵した密閉可能な本体ケースと、本体ケースの外側の左右に配置された左折表示用の色付半透明パネルまたは透明パネル及び右折表示用の色付半透明パネルまたは透明パネルと、本体ケースの内部で左折表示用の色付半透明パネルまたは透明パネル及び右折表示用の色付半透明パネルまたは透明パネルの裏側に配置された左折表示用発光手段及び右折表示用発光手段と、本体ケースを自転車のサドル下のシートポストに着脱自在に取り付ける取り付け部材と、から成る方向指示装置本体と、自転車のハンドルに取り付け可能で方向指示操作を行なう方向指示操作器と、を含み、方向指示操作器での方向指示操作に従い、方向指示装置本体の一対の左折表示用発光手段または右折表示用発光手段が点滅するようにし、本体ケースをサドル下のシートポストに取り付けたとき、本体ケースがサドルの下面に位置するようにしたこと、を特徴としている。
請求項２、５の考案は、取り付け部材は、本体ケースと一体化されてシートポストに着脱自在に被嵌する筒体を有すること、を特徴としている。
請求項３、６の考案は、本体ケースは筒型であり、取り付け部材は、各々、本体ケースの外周の一部に沿って巻き掛けられるとともに本体ケースの半径方向外側へ延設されて端部がシートパイプの外周の一部に沿って当接可能な左右一対の枠体と、左右一対の枠体を上下方向から一緒に締めて本体ケースに固定する第１の固定部材と、左右一対の枠体を左右方向から一緒に締めてシートパイプに固定する第２の固定部材と、を備えたこと、を特徴としている。
【考案の効果】
【０００７】
本考案によれば、方向指示装置本体をサドルの下に取り付けることができ、雨に濡れ難く、また転倒時にも地面等にぶつかり難く、故障し難くなる。
【考案を実施するための最良の形態】
【０００８】
電池の内蔵される密閉可能な筒型の方向指示装置本体の本体ケースの左右に左折表示用色付半透明パネルと右折表示用色付半透明パネルを配置し、本体ケースの内部で左折表示用色付半透明パネル及び右折表示用色付半透明パネルの裏側に左折表示用発光ダイオードと右折表示用発光ダイオードを配置する。自転車のハンドルに方向指示操作を行なう方向指示操作器を取り付け、該方向指示操作器での方向指示操作に従い、方向指示装置本体の左折表示用発光ダイオードまたは右折表示用発光ダイオードを選択的に点滅発光させる。本体ケースから突設された取り付け部材の筒体をサドル下のシートポストに被嵌したとき、本体ケースがサドルの下面に位置し、雨天時に雨に濡れ難くなり、転倒時にも地面等にぶつかり難くなる。
【実施例１】
【０００９】
図１は本考案の第１の実施例に係る自転車用の方向指示装置本体の取り付け状態を示す外観斜視図である。
１は方向指示装置本体であり、この内、２は中空で密閉可能な筒型の本体ケースであり、内部に基板３、電池４が内蔵されている。５と６は本体ケース２の外面の左右に穿設された略三角形状の孔、７と８は各々孔５と６に嵌めこまれた一対の略三角形状の左折表示用色付半透明パネル（赤色）と右折表示用色付半透明パネル（赤色）である。本体ケース２の内部の内、左折表示用色付半透明パネル７と右折表示用色付半透明パネル８の裏側に相当する基板３の上には各々３個ずつ高輝度発光ダイオード９と１０が配置されている。基板３には高輝度発光ダイオード９と１０を選択的に点滅駆動する駆動回路（図示せず）が設けられている。１１は本体ケース２の背面中央に一体的に固着された取り付け部材であり、本体ケース２から垂直に延設された延設パイプ１２と筒体１３からなる。筒体１３はサドル５０を支持するシートポスト５１に着脱自在に被嵌し、ネジ止めにより固定できるようになっている。
このように構成された方向指示装置本体１は、取り付け部１１によりシートポスト５１に取り付けたとき、サドル５０の下面に位置する。
【００１０】
一方、ハンドル５２の左グリップ５３の近くには図２に示す如く、方向指示操作器４５が着脱自在に取り付けられている。方向指示操作器４５は操作部材４６とスイッチ（図示せず）を有しており、操作部材４６を左（右）に倒すと内蔵されたスイッチの左接点（右接点）が閉じ、ケーブル４７で接続された本体ケース１の基板３の駆動回路が高輝度発光ダイオード８（９）を点滅駆動する。操作部材４６を元に戻すと、高輝度発光ダイオード８（９）は消灯する。
【００１１】
この実施例によれば、方向指示装置本体１をサドル５０の下に取り付けることができ、雨天時でも雨に濡れ難くなり、また転倒時にも地面等にぶつかり難くなるので、故障し難くなる。また、サドル５０の下に位置することから、ペダルをこぐユーザの邪魔にならない。
【実施例２】
【００１２】
次に本考案の第２の実施例を説明する。図３は本考案の第２の実施例に係る自転車用の方向指示装置本体の取り付け状態を示す外観斜視図、図４は図３に示す方向指示装置本体の平面図、図５は方向指示装置本体の側面図、図６は図４のＶＩ−ＶＩ´線に沿った断面図、図７は図５のＶＩＩ−ＶＩＩ´線に沿った断面図である。
第１の実施例では取り付け部材１１が方向指示装置本体に一体化されていたが、第２の実施例では別体となっている。
図３乃至図８において、１Ａは方向指示装置本体であり、取り付け部材１１Ａによりシートポスト５１に着脱自在に取り付けられている。取り付け部材１１Ａの内、１６、１７は針金状部材から成る左右一対の略Ｕ字状の枠体１６、１７であり、筒型の本体ケース２Ａの中央付近の外周に沿って略３／４周巻き掛けられたのち、本体ケース２Ａの背面方向に垂直に延設されている。枠体１６、１７の先端部はシートポスト５１の外周に沿って湾曲されており、該シートポスト５１の両側から左右対称に挟むようにして略１／４周巻き掛けられている。１８、１９は本体ケース２Ａの背面に接するようにして上下に対向して設けられた１組の支持部材であり、各々、前後方向に穿設された左右一対の穴２０、２１と一対の穴２２、２３を有しており、穴２０、２２に枠体１６、穴２１、２３に枠体１７が挿通されている。また、支持部材１８には上下方向に穿設された左右一対の穴２４、２５が設けられており、支持部材１９には上下方向に穿設された左右一対のメネジ穴２６、２７が設けられている。２８、２９は支持部材１８、１９を固定するネジであり、ネジ２８は穴２４に挿入されたのちメネジ穴２６に螺合されており、ネジ２９は穴２５に挿入されたのちメネジ穴２７に螺合されている（図６参照）。ネジ２８、２９を締めたり、緩めたりすることで枠体１６、１７を本体ケース２Ａに固定したり、外したりすることができる。
【００１３】
３０、３１はシートポスト５１の前面に接するようにして左右に対向して設けられた１組の支持部材であり、各々、前後方向に穿設された上下一対の穴３２、３３と一対の穴３４、３５を有しており、穴３２、３３に枠体１６、穴３４、３５に枠体１７が挿通されている。また、支持部材３０には左右方向に穿設された上下一対の穴３６、３７が設けられており、支持部材３１には左右方向に穿設された上下一対のメネジ穴３８、３９が設けられている。４０、４１は支持部材３０、３１を固定するネジであり、ネジ４０は穴３６に挿入されたのちメネジ穴３８に螺合されており、ネジ４１は穴３７に挿入されたのちメネジ穴３９に螺合されている（図７参照）。ネジ４０、４１を締めたり、緩めたりすることで枠体１６、１７の先端部をシートポスト５１に固定したり、外したりすることができる。
方向指示装置本体１Ａのその他の構成部分は図１と全く同様に構成されている。
【００１４】
次に、図８を参照して取り付け部材１１Ａの使用方法を説明する。
枠体１６、１７をケース本体２Ａに嵌め、支持部材１８、１９の穴２０、２２に枠体１６を挿入し、支持部材１８、１９の穴２１、２３に枠体１７を挿入し、支持部材３０の穴３２、３３に枠体１６を挿入し、支持部材３１の穴３４、３５に枠体１７を挿入する。支持部材１８、１９を本体ケース２Ａの背面に当ててネジ２８を支持部材１８の穴２４に通し支持部材１９のメネジ穴２６に螺合し、ネジ２９を支持部材１８の穴２５に通し支持部材１９のメネジ穴２７に螺合し、仮止めしておく。次に、枠体１６、１７の先端部をシートポスト５１を左右から挟むように嵌め（図８の矢印参照。符号Ａの状態）、支持部材３０、３１をシートポスト５１の少し手前に置き、ネジ４０を支持部材３０の穴３６に通し支持部材３１のメネジ穴３８に螺合し、ネジ４１を支持部材３０の穴３７に通し支持部材３１のメネジ穴３９に螺合し、仮止めする。最後に、ネジ２８、２９、４０、４１を本締めする。これにより、方向指示装置本体１Ａをシートポスト５１に取り付けることができる（図３乃至図５の状態）。
なお、ネジ２８、２９、４０、４１を緩めることで、方向指示装置本体１Ａをシートポスト５１から取り外すことができる。
【００１５】
この実施例によっても、方向指示装置本体１Ａをサドル５０の下に取り付けることができ、雨天時でも雨に濡れ難くなり、また転倒時にも地面等にぶつかり難くなるので、故障し難くなる。また、サドル５０の下に位置することから、ペダルをこぐユーザの邪魔にならない。また、サドル５０を外さなくても簡単に方向指示装置本体１Ａをシートポスト５１に装着できる。
なお、図９に示す如く取り付け部材１１Ａを用いて方向指示装置本体１Ａをハンドル５２に取り付けることもできる。また、図１０に示す如く取り付け部材の先端部を適宜変更することで、方向指示装置本体１Ａを前部ステム５４へ取り付けることも容易に行なえる。
【産業上の利用可能性】
【００１６】
本考案は、普通自転車、折り畳み自転車、子供用自転車などに適用できる。
【図面の簡単な説明】
【００１７】
【図１】本考案の第１の実施例に係る自転車用の方向指示装置本体の取り付け状態を示す外観斜視図である（実施例１）。
【図２】方向指示操作器の取り付け状態を示す外観斜視図である。
【図３】本考案の第２の実施例に係る自転車用の方向指示装置本体の取り付け状態を示す外観斜視図である（実施例２）。
【図４】図３の自転車用方向指示装置本体の平面図である。
【図５】図３の自転車用方向指示装置本体の側面図である。
【図６】図４のＶＩ−ＶＩ´線に沿った断面図である。
【図７】図５のＶＩＩ−ＶＩＩ´線に沿った断面図である。
【図８】図３の方向指示装置本体のシートパイプへの取り付け方法を示す説明図である。
【図９】図３の自転車用方向指示装置本体をハンドルに取り付けた状態を示す外観斜視図である。
【図１０】図３の自転車用方向指示装置本体を前部ステムに取り付けた状態を示す外観斜視図である。
【符号の説明】
【００１８】
１、１Ａ  方向指示装置本体          ２、２Ａ  本体ケース
７  左折表示用色付半透明パネル      ８  右折表示用色付半透明パネル
９、１０  高輝度発光ダイオード      １１、１１Ａ  取り付け部材
１２  延設パイプ                    １３  筒体
１６、１７  枠体                    １８、１９、３０、３１  支持部材
２８、２９、４０、４１  ネジ        ４５  方向指示操作器
４７  ケーブル                      ５０  サドル
５１  シートポスト                  ５２  ハンドル
５４  前部ステム
【図１】
0003125094.tif 000003
【図２】
0003125094.tif 000004
【図３】
0003125094.tif 000005
【図４】
0003125094.tif 000006
【図５】
0003125094.tif 000007
【図６】
0003125094.tif 000008
【図７】
0003125094.tif 000009
【図８】
0003125094.tif 000010
【図９】
0003125094.tif 000011
【図１０】
0003125094.tif 000012